(57)【要約】  【課題】  従来の一般的なスライド式の多芯筆記具は、スライダーの係止時に縦方向に働いた弾撥部材の弾性力のみで保たれている。この係止方法は下向きに少しの力がかかれば外れてしまうという不便さがあり、今までの多芯筆記具の課題であった。  【解決手段】  軸筒の内部に複数のリフィールが出没可能に配置されると共に、軸筒の後端部に尾栓が挿着された多芯筆記具にあって、前記出没動作を軸筒の側面に配したスライダーによってなす多芯筆記具であって、そのスライダーに三つの突起を縦列配置すると共に、突出状態においては、その突出状態にあるスライダーの隣り合う突起の間に、非突出状態にあるスライダーの前方に位置する突起を位置させた多芯筆記具。【選択図】  図１
2014024285.tif 000002
【特許請求の範囲】
【請求項１】
軸筒の内部に複数のリフィールが出没可能に配置されると共に、軸筒の後端部に尾栓が挿着された多芯筆記具にあって、前記出没動作を軸筒の側面に配したスライダーによってなす多芯筆記具であって、そのスライダーに三つの突起を縦列配置すると共に、突出状態においては、その突出状態にあるスライダーの隣り合う突起の間に、非突出状態にあるスライダーの前方に位置する突起を位置させたことを特徴とする多芯筆記具。
【請求項２】
前記スライダーの前方に位置する突起の突出量を他の突起の突出量よりも多くしたことを特徴とする請求項１に記載の多芯筆記具。
【請求項３】
前記リフィールの少なくとも１本をシャープユニットにする共に、前記尾栓を軸筒に対して摺動可能に配置した請求項１、或いは、請求項２に記載の多芯筆記具。
【発明の詳細な説明】
【技術分野】
【０００１】
本発明は、軸筒の内部に複数のリフィールが出没可能に配置されると共に、軸筒の後端部に尾栓が挿着された多芯筆記具に関するものである。
【背景技術】
【０００２】
１例として、軸筒体内に複数の筆記体を収容し、筆記体はスプリングにより後方に加勢され、筆記体の後端に取り付けられているノック棒を押圧し、該ノック棒の係止部を軸筒体に設けられている係止段部に係合させることにより前記筆記体を軸筒体より突出させる複式筆記具において、ノック棒には嵌合孔が設けられ、筆記体の後端を該嵌合孔に嵌合させ、さらにノック棒における筆記体の嵌合部分の外側面に筆記体径より大径の切欠部を設けることにより、ノック棒の係止部が軸筒体に設けられた係止段部に係合した際、ノック棒本体が軸中心方向に傾き、それによって筆記体後端がノック棒の切欠部から突出する機構の複式筆記具が知られている。
【特許文献１】特開平１１−３２１１８３号公報。
【発明の開示】
【発明が解決しようとする課題】
【０００３】
上記従来技術は、リフィールの撓みによる解除のされやすさに対し、スライダーとリフィールとの間に自由度を設け、リフィールを撓ませずに誤解除を抑制している。上記実施例ではリフィールの後端がスライダー内部に入り込み、嵌合リブによって保持されている。そして、係止時においては、スライダーに設けた切欠部から、リフィールの後端が突出し、スライダーに対して傾くことができる。この傾きによって、スライダーとリフィールとの接合に自由度が保たれ、係止の誤解除を防止している。
しかしながら、筆記時には前記接合部の自由度が災いし、ガタが発生してしまう。これに加え、スライダーの係止は縦方向に働いたスプリングの弾性力のみで保たれている。この係止方法は、係止状態から、不慮の外力や衝撃力などによってスライダーに下向きの力が加わると、その衝撃により、係止が外れてしまう危険性がある。そして、その係止の外れにより、筆記状態が保てないという不便さが発生してしまった。
【課題を解決するための手段】
【０００４】
そこで、本発明は、軸筒の内部に複数のリフィールが出没可能に配置されると共に、軸筒の後端部に尾栓が挿着された多芯筆記具にあって、前記出没動作を軸筒の側面に配したスライダーによってなす多芯筆記具であって、そのスライダーに三つの突起を縦列配置すると共に、突出状態においては、その突出状態にあるスライダーの隣り合う突起の間に、非突出状態にあるスライダーの前方に位置する突起を位置させたことを要旨とする。
【発明の効果】
【０００５】
本発明は、軸筒の内部に複数のリフィールが出没可能に配置されると共に、軸筒の後端部に尾栓が挿着された多芯筆記具にあって、前記出没動作を軸筒の側面に配したスライダーによってなす多芯筆記具であって、そのスライダーに三つの突起を縦列配置すると共に、突出状態においては、その突出状態にあるスライダーの隣り合う突起の間に、非突出状態にあるスライダーの前方に位置する突起を位置させたので、不慮の衝撃がかかっても、係止が解除されず、良好な筆記を維持することができる。
【図面の簡単な説明】
【０００６】
【図１】本発明の１例を示す外観図。
【図２】図１の縦断面図。
【図３】摺動ケースの正面図。
【図４】図３の下面図。
【図５】図３の縦断面図。
【図６】スライダーの正面図。
【図７】図７の側面図
【図８】後軸の正面図。
【図９】図８の縦断面図。
【図１０】図８の上面図。
【図１１】（ａ）ボールペンリフィールのみで構成した軸本体の縦断面図。  （ｂ）図１１（ａ）の摺動部品を除いた図。（ｃ）図１１（ｂ）のＢ部拡大図。
【図１２】図２のＡ部詳細図。
【図１３】後軸を２部品で構成した軸本体の正面図。
【図１４】規制部を別部材とした後軸側面図。
【図１５】図１３の縦断面図
【図１６】図１３の下面図。
【図１７】規制部を別部材とした軸本体作動部の縦断面図１。
【図１８】規制部を別部材とした軸本体作動部の縦断面図２。
【図１９】図１７の横断面図。
【図２０】図１７のノック図。
【図２１】リフィールを５本とした際の後軸下面図。
【図２２】スライダー係止状態の縦断面図。
【図２３】図２２のＣ部詳細図。
【図２４】係止突起と解除突起の接触を示す詳細図。
【発明を実施するための最良の形態】
【０００７】
作用について説明する。リフィールとして黒色、赤色、青色の３色からなるボールペンとシャープユニットが摺動自在に配置されている多芯筆記具である。
スライダーの係止時において、係止状態のスライダーの係止突起が、解除状態にあるスライダーの解除突起と尾栓の係止部との間に入り込むよう、位置させたことにより、スライダーへペン先方向への衝撃が加わっても、係止が外れにくくなっているのである。つまり、スライダーが係止状態からさらにペン先方向に動いた際に、係止が外れるより早く、解除状態にあるスライダーの解除突起に接触し、解除状態にあるスライダーを維持しているスプリング等の弾撥部材の弾性力も作用することにより、スライダーの先方への移動が阻止され、係止力を補助するのである。
【０００８】
次いで、１例を図１〜図１２に示し説明する。軸本体１６は、前軸８と後軸２、摺動ケース１により構成されている。前記前軸８の内径部には、先端側へ向かって徐々に径が小さくなる円錐部８ｃが形成されている。そして、その前軸８の先端には、ボールペンリフィール１５の筆記部やシャープユニット９の先金部９ａが出没する突出孔８ａが形成されている。
さらに、前記前軸８は不透明な材質から構成されているが、後軸２は、着色半透明な材質から構成されている。ボールペンリフィール１５をスライダー４に対して着脱する際、即ち、ボールペンを交換する際、その着脱部の視認性が良好なものとなり、容易に着脱作業を行うことができるようになる。また、後軸２は、円筒状であるが故に、その曲面のレンズ作用により、前記の着脱部が拡大・大径化され、さらに容易に着脱作業を行うことができるようになる。前記前軸８にはゴム状弾性体からなるグリップ部１７が挿着されているが、二色成形、或いは、多色成形と言った手段などで前軸８に一体的にゴム状弾性体からなるグリップ部１７を被覆しても良い。
前記前軸８と後軸２は、螺合により取り外し可能に取り付けられており、前記後軸２の後端部には摺動ケース１が取り付けられている。本例では、その摺動ケース１の外周の表面上には、等間隔に後軸２との係合用の係合突起１ａが設けられている。また、その係合突起１ａは、後軸２の外周の表面に設けられた窓孔２ａの後端部に係合されることにより、シャープユニット９を組み合わせた多芯筆記具において、シャープ芯１０の繰り出しのスライド距離を窓孔２ａで有効活用することによって軸本体１６の長さを抑えている。しかし、本例に限定されることはなく、窓孔２ａの上部に摺動ケース１の係合突起１ａが係合する専用の係合孔２４を設けても良い。
【０００９】
この係合状態において、摺動ケース１の前半部１ｂは後軸２の後端内部に配置され、一方、摺動ケース１の後半部は後軸２の後端開口部２ｂから突出する。その突出した摺動ケース１の後半部をノック部１ｃとし、ノック作動により摺動ケース１全体が、後軸２に対して前後に摺動する。
その摺動ケース１の内部は全長に渡り、径方向を分割するように梁状の区画壁３によって区画されている。また、摺動ケース１は有底の筒状を成しているが、中間部からは筒部１ｄがなくなり、径方向に開放状態となっている。具体的には、断面形状が扇形の切り欠き部１ｅが形成されており、その切り欠き部１ｅが開放状態となっている。つまり、その切り欠き部を摺動面とし、スライダー４が摺動ケース１内を摺動するのである。前記スライダー４の押圧部４ａは後軸２の窓孔２ａより外方に突出しており、スライダー４の押圧部４ａは後軸２の窓孔２ａを摺動する。
前記ペン先５の没入状態では、スライダー４は弾撥部材６の弾撥力により、後方へ押しやられており、スライダー４の押圧部４ａの後端は摺動ケース１のスライダー当接部１ｆに当接している。この状態において、使用者がスライダー４を前進させると、スライダー４は軸心方向へ落ち込み、スライダー４の係止突起４ｂが摺動ケース１内の梁状の区画壁２の中心に設けられた係止凹部７に係止される。この瞬間に、ペン先５が前軸８の先端突出孔８ａから突出し、筆記可能となる。
ここで、係止突起４ｂと係止凹部７の引掛り量をｙとし、被解除突起４ｅと解除突起４ｄによりスライダー４が移動する距離をＸとする。
【００１０】
前記リフィール１１の没入動作において、スライダー４の係止解除時にスライダー４はリフィール１１との接続点である点Ｏを起点とし、扇状に動き、係止突起４ｂが係止凹部７から外れる。また、解除突起４ｄと被解除突起４ｅとの衝突部を点Ｐとし、点Ｏから点Ｐまでの距離をＳ、係止部までの距離をＬとすると、係止状態にあるスライダー４の被解除突起４ｅと、解除状態にあるスライダー４の解除突起４ｄの衝突により動く距離ＹはＹ＝ＬＸ／Ｓとなる。また、引掛り量ｙは  ｙ＜Ｙ、つまり、ｙ＜ＬＸ／Ｓとしていることにより、係止が解除され、ペン先５を没入させることができるのである。
つまり、係止されている引掛り量ｙよりもスライダー４同士の衝突により動く距離Ｙを大きく採ることにより、スライダー４が扇状に動き、解除を可能にしているのである。
尚、シャープユニット９のスライダー４を前進させた際は、シャープユニット９の先金部９ａが突出状態にあり、前軸８の先端の内面部８ｂにほぼ接触状態となっている。このシャープユニットの先金部９ａの前軸８の先端の内面部８ｂに対する接触によって、ノック部１ｃを押圧し、摺動ケース１を押し込むことにより、シャープユニット９のチャック９ｂが開き、シャープ芯１０が繰り出され、筆記状態となる。
これらボールペンのペン先５の出没操作時やシャープ芯１０の繰り出し操作時であっても、摺動ケース１に設けた梁状の区画壁３により剛性が良くなっているため、外力が加わった時の径方向への撓みは極力防止される。それ故に、スライダー４の摺動不良や係止不良、シャープユニット９の芯出し不良などの誤作動が起きにくい構成となっている。さらには、各々のスライダー４が梁状の区画壁３によって区画されているため、解除時に必要とするスライダー４同士の衝突以外の接触を防止し、スライダー４同士の干渉によるリフィール１１の繰り出し不具合等の誤作動の抑制をしている。
【００１１】
前記スライダー４の裏面には、スライダー基部４ｉを始点とし軸心方向に向かい、解除突起４ｄと被解除突起４ｅが形成されている。さらに、後方にはスライダー押圧部４ａの裏面を始点とし、軸心方向に向かい係止突起４ｂが設けられている。なお、係止突起４ｂと被解除突起４ｅは、それらの頂部を略同じ位置として形成されており、解除突起４ｄの頂部は係止突起４ｂ、並びに、被解除突起４ｅよりも軸心に近い位置となっている。これはスライダー４がスライドするときに、摺動ケース１のスライダー滑走面１ｇをすべり、係止凹部７へと移行していく間に、極力段差を無くし使用者のノック時における違和感を与えない構造となっている。
さらに、解除突起４ｄの頂部は、他の二つの突起（係止突起４ｂ、被解除突起４ｅ）よりも軸心方向へ近い位置、即ち、その突出量が多くなっており、係止時において係止状態のスライダー４の係止突起４ｂが、解除状態にあるスライダー４の解除突起４ｄと尾栓２３の係止凹部７との間に入り込むようになっている。これにより、解除状態のスライダー４の解除突起４ｄと尾栓２３の係止凹部７との間で係止状態にあるスライダー４の係止突起４ｂを挟み込む状態となり、係止凹部７からの係止はずれを抑制する効果をもたらすのである。
即ち、スライダー４が係止状態からさらにペン先5の方向に動いた際には、係止凹部７から係止が外れるより早く、解除状態にあるスライダーの解除突起４ｄに接触し（図２４参照）、解除状態にあるスライダー４を維持している弾撥部材６の弾性力も作用することにより、スライダー４の先方への移動が阻止され、係止が維持されるのである。
【００１２】
前記摺動ケース１の梁状の区画壁３を対称面とし、その梁状の区画壁３の両側には、縦リブ３ａが設けられている。その対向し、隣り合う縦リブ３ａ間には、前記スライダー４が摺動自在に位置している。即ち、前記縦リブ３ａによって、ペン先５が没入している状態における前記スライダー４の横方向における振れが防止されているのである。また、前記縦リブ３ａの先端部分は先端方向に向かい狭まるテーパー状に傾斜面３ｂが形成されている。前記後軸２に摺動ケース１を取り付ける時に、隣り合う縦リブ３ａの間にスライダー４が挿着されている。その挿着されたスライダー４と前記縦リブ３ａのテーパー状の傾斜面３ｂの両者がガイドになり、摺動ケース１の区画壁３が案内され、組立て性を向上させているのである。さらに、スライダー４が摺動ケース１内の係止凹部７への係止状態からの解除時においても、前記縦リブ３ａのテーパー状の傾斜面３ｂによりスライダー４がガイドされ、定位置に確実に戻る。
尚、本例では摺動ケース１の先端から３分の１程度の区間には、前記の縦リブ３ａが設けられてない。これは係止されたスライダー４の解除時において、解除される側のスライダー４の多少のクリアランスを考慮したものである。即ち、解除される直前まではガタが無いほうが良いが、解除直後は摺動ケース１内の抵抗が少なく、スムーズに後方の定位置に戻るのが望ましい。そのため、先端から３分の１程度の区間には縦リブ３ａを設けず、解除直後の抵抗を減らしているのである。
【００１３】
さらに、摺動ケース１の前端部には、突起３ｃが延設形成されている。その突起３ｃは、摺動ケース１内の係止凹部７に係止状態のスライダー４の横ブレを防止するものとなっている。つまり、その係止状態にあるスライダー４の解除時に、他のスライダー４の接触による横ブレを極力防止することによって、解除不良を極力防止しているのである。また、前記摺動ケース１の先端部に形成されている突起３ｃは、スライダー４の軸心方向への落ち込みを防止し、適切な係止位置を維持する役割も兼ねている。
さらに、前記後軸２の内面には、一対の位置決めリブによって挿着溝１２が形成されている。その挿着溝１２には、前記摺動ケース１の梁状の区画壁３が摺動自在に嵌まり込んでおり、径方向、即ち、相対的な回転が防止されている。具体的には、１つの区画壁３に対し、後軸２の内周面に前記区画壁３の幅と略同じ間隔をあけて位置決めリブ１３が２つ設けてあり、その隣り合う位置決めリブ１３間（挿着溝１２）を区画壁３が前後に摺動するのである。つまり、後軸２内の位置決めリブ１３の数は区画壁３の数の２倍となり、区画壁３の数はリフィール１１の数に起因するため、リフィール１１の数により位置決めリブ１３の数も決まる。つまり、リフィール１１が２本であれば位置決めリブ１３の数は４つ、３本であれば６つになるのである。
【００１４】
本例では、前記摺動ケース１の中間部の切り欠き部１ｅの後端部には、梁状の区画壁３を中心に扇状の形をしたストッパー段部１４が設けられており、そのストッパー段部１４は先端方向に向けて延設形成されている。また、前記梁状の区画壁３は、径方向に等間隔に４つ形成されていると共に、梁状の区画壁３のうち、１８０度の間隔で２つに前記ストッパー段部１４が形成されている。
前記ストッパー段部１４に対し、前記後軸２内の位置決めリブ１３の長さを設定することで、リフィール１１をボールペンリフィール１５のみで構成した筆記具と、少なくとも１本以上をシャープユニット９で構成した筆記具とで部品の共通化を可能にしている。例えば、前記リフィール１１をボールペン１５のみで構成する際は、図１１のように、ストッパー段部１４と長い位置決めリブ１３ｂの位置を合わせるように組み立てる（図１１ｃ参照）。その結果、組立て後にストッパー段部１４と長い位置決めリブ１３ｂの後端面が当接し、それ以上のノックをできなくし、摺動ケース１を尾栓２３として固定する。
そのボールペンリフィール１５に変え、少なくとも１つ以上のシャープユニット９を組み込む際は、前記摺動ケース１のストッパー段部１４を短い位置決めリブ１３ａに合うように組み立てる。この状態で組むことで、ストッパー段部１４と短い位置決めリブ１３ａとの間にクリアランスが生じ、摺動ケース１が後軸２に対し前後へ摺動が可能となる。また、前記クリアランスは、ストッパー段部１４が短い位置決めリブ１３ａの後端部に当接するまで形成されており、その移動範囲が摺動ケース１のスライド距離となる。尚、このスライド距離は、シャープユニット９のチャック９ｂが開き、シャープ芯１０が繰り出されるのに必要な距離以上の距離になっている。さらに、短い位置決めリブ１３ａと、長い位置決めリブ１３ｂとの差は、ストッパー段部１４の長さとほぼ等しくなっているが、長い位置決めリブ１３ｂと短い位置決めリブ１３ａとの差をストッパー段部１４の長さより多少長くしても良い。要は、位置決めリブ１３の後端とストッパー段部１４が当接する前に、シャープ芯１０の繰り出しに必要な摺動距離を摺動できれば良いのである。
【００１５】
前記、区画壁３には軸線方向に突き当て段部３ｄが形成されており、その突き当て段部３ｄは、９０度の間隔で形成されている。一方、後軸２の短い位置決めリブ１３ａには、リブ間を埋めるように突き当て部１３ｃが設けられている。前記摺動ケース１を尾栓として後軸２に固定した際には、摺動ケース１の突き当て段部３ｄが後軸２の突き当て部１３ｃに突き当たり、ノック部１ｃの後軸２内への没入を抑制している。また、摺動ケース１をノックとして摺動させる際は、ノックの押し切り状態においては、摺動ケース１の突き当て段部３ｄが後軸２の突き当て部１３ｃに突き当たるようになっている。つまり、９０度の間隔で形成された突き当て段部３ｄの長さの差がシャープ繰り出しのストロークとなるのである。
【００１６】
軸本体１６は後軸２、前軸８、摺動ケース１で構成されており、先に説明したとおり、摺動ケース１と後軸２は、係合突起１ａと窓孔２ａとの係合により、脱落・分解が防止されている。また、前軸８と後軸２はネジ螺合により取り外し可能に接合されている。前記後軸２内には前軸８のネジ部端面８ｄを突き当てて止めるため、ネジ止めリブ２ｃが周状に４つ、リフィール１１と干渉しない位置に形成されている。前記ネジ止めリブ２ｃが後軸２内面に接触する辺２ｄには、すべてＲで面取りを施している。接触する辺２ｄを曲面にすることにより、ネジの締め付けによる応力によって起こる、軸の割れ等を極力防止しているのである。
前記後軸２には、その長手方向に４個の窓孔２ａが形成されている。本例においては、４個の窓孔２ａが形成されているが、リフィール１１であるボールペンリフィール１５とシャープユニット９の合計数が４本であるためであり、このリフィール１１の本数によって窓孔２ａの形成する数も変わるものである。前記後軸２内には後軸２の後端を摺動可能に取り付けられた摺動ケース１が設けられており、前記摺動ケース１内はリフィール１１の数に径方向に区画されており、その区画は軸心を中心とし、放射状に広がる梁状の区画壁３により区画分けされている。この区画１８内をリフィール１１の後端に取り付けられたスライダー４が前後にスライドし、ボールペンリフィール１５のペン先５やシャープユニット９の先金部９ａの没入動作が行われるのである。前記区画１８も本例では４つであるが、リフィール１１の本数により、変わるものである。
【００１７】
前記後軸２の窓孔２ａには、不透明な材質からなるスライダー４が摺動自在に配置されている。このスライダー４の長手方向の両側には、抜け防止突起４ｃが形成されており、後軸２の窓孔２ａからのスライダー４の脱落を防止している。
このスライダー４の背面には、１つの係止突起４ｂと、間隔をおいて２つの解除突起４ｄ、４ｅが形成されている。前記係止突起４ｂは摺動ケース１を区画している梁状の区画壁３の中央部に設けた係止凹部７に係止され、ボールペンリフィール１５のペン先５やシャープユニット９の先金部９ａの突出状態を維持する。前記ボールペンリフィールのペン先５やシャープユニット９の先金部９ａの突出状態において後部に位置している他のスライダー４を前進させると、前進したスライダー４の解除突起４ｄが、係止しているスライダー４の被解除突起４ｅに接触し、係止していたスライダー４が径方向外向きに移動することで係止が解除され、その瞬間に弾撥部材６の弾撥力によりスライダー４が後方へ移動し、ボールペンリフィール１５のペン先５やシャープユニット９の先金部９ａが没状態になるのである。
【００１８】
また、スライダー４の前端には長手方向に板状の突部４ｆが形成されている。その突部１９の先端には、ほぼ円盤状の膨出部４ｇが形成されている。それら突部４ｆや膨出部４ｇを板状、並びに、円盤状にすることによって、後述する筆記体を接続した際、空気の流通炉が形成されるようになっている。つまり、本例のようにリフィール１１をボールペンリフィール１５とした場合、インキの消費に伴う筆記体（ボールペン）内部への空気の侵入を確実なものとしているのである。
そして、スライダー４の突部４ｆ（膨出部４ｇ）には、ボールペンリフィール１５のインキ収容筒１５ａの後方部が接続されている。ここで、前記スライダー４は、前記ボールペンリフィール１５に使用されるインキ色と同じ色に着色された不透明な材質で形成されているが、透明、或いは、着色された半透明な材質で形成しても良い。スライダー４の奥行き感が発生し、より一層、美観が向上する。また、シャープユニット９の後方にも同様にスライダー４が挿着されており、ボールペンスライダーの色と異なる色に着色し、判別がつくように構成しているが、ボールペンスライダーと同様の色で構成してもかまわない。
本例において、ボールペンリフィール１５のインキ収容筒１５ａは、透明、或いは、着色された半透明な材質から構成されているが、インキ収容筒１５ａの少なくとも前記スライダー４との接続部が、透明、或いは、着色された半透明な材質から構成されていれば良い。リフィール１１を交換した際、リフィール１１とスライダー４（膨出部４ｇ）との接続状態を容易に確認することができる。
【００１９】
尚、前記スライダー４の前端部には、後述する弾撥部材６の後端部が当接する鍔部４ｈが形成されている。
参照符号６は、リフィール１１並びにリフィール１１に接続するスライダー４を後方に付勢するコイルスプリングなどの弾撥部材６である。尚、本例におけるリフィール１１は、３本が前述のようにボールペンリフィール１５となっており、もう１本がシャープユニット９となっている。そのボールペンリフィール１５のインキ収容筒１５ａ及び、シャープユニット９の芯タンク９ｃがスライダー４の膨出部４ｇに接続されている。具体的には、黒、赤、青のインキが収納されたボールペンリフィール１５とシャープユニット９が接続されている。
前記後軸２の中間部には、規制部１９が形成されており、その規制部１９には、リフィールが遊挿する４つの貫通孔２０が形成されており、前記規制部１９に弾撥部材６の一端を係止させることにより、リフィール１１を後方に付勢している。
【００２０】
本例ではリフィール１１が４本の多芯筆記具を例に挙げたが、２本以上の複数本のリフィール１１を備えているものであれば、本構成の効果を発揮する。即ち、リフィール１１が３本であれば係止状態を支える解除突起４ｄが二つになり、リフィール１１が５本であれば係止状態を支える解除突起４ｄが四つになる。参考例として、リフィール１１が５本の実施例を図２１に表す。この図２１に示されるように、リフィール１１が増加することにより、支える解除突起４ｄも増え、より一層衝撃による誤解除を抑制するのである。
【符号の説明】
【００２１】
１      摺動ケース
１ａ    係合突起
１ｂ    前半部
１ｃ    ノック部
１ｄ    筒部
１ｅ    切り欠き部
１ｆ    スライダー当接部
１ｇ    スライダー滑走面
２      後軸
２ａ    窓孔
２ｂ    後端開口部
２ｃ    ネジ止めリブ
２ｄ    後軸２内面に接触する辺
３      区画壁
３ａ    縦リブ
３ｂ    傾斜面
３ｃ    突起
３ｄ    突き当て段部
４      スライダー
４ａ    スライダー押圧部
４ｂ    係止突起
４ｃ    抜け防止突起
４ｄ    解除突起
４ｅ    被解除突起
４ｆ    突部
４ｇ    膨出部
４ｈ    鍔部
４i    スライダー基部
５      ペン先
６      弾撥部材
７      係止凹部
８      前軸
８ａ    突出孔
８ｂ    内面部
８ｃ    円錐部
８ｄ    ネジ部端面
９      シャープユニット
９ａ    先金部
９ｂ    チャック
９ｃ    芯タンク
１０    シャープ芯
１１    リフィール
１２    挿着溝
１３    位置決めリブ
１３ａ  短い位置決めリブ
１３ｂ  長い位置決めリブ
１３ｃ  突き当て部
１４    ストッパー段部
１５    ボールペンリフィール
１５ａ  インキ収容筒
１６    軸本体
１７    グリップ部
１８    区画
１９    規制部
２０    貫通孔
２１    中軸
２２    中子
２３    尾栓
Ｏ      起点
Ｐ      スライダー衝突部
ｙ      引掛り代
Ｓ      点Ｏから点Ｐまでの距離
Ｌ      点Ｏから係止部までの距離
Ｘ      点Ｐでのスライダーの移動量
Ｙ      係止部でのスライダーの移動量
【図１】
2014024285.tif 000003
【図２】
2014024285.tif 000004
【図３】
2014024285.tif 000005
【図４】
2014024285.tif 000006
【図５】
2014024285.tif 000007
【図６】
2014024285.tif 000008
【図７】
2014024285.tif 000009
【図８】
2014024285.tif 000010
【図９】
2014024285.tif 000011
【図１０】
2014024285.tif 000012
【図１１】
2014024285.tif 000013
【図１２】
2014024285.tif 000014
【図１３】
2014024285.tif 000015
【図１４】
2014024285.tif 000016
【図１５】
2014024285.tif 000017
【図１６】
2014024285.tif 000018
【図１７】
2014024285.tif 000019
【図１８】
2014024285.tif 000020
【図１９】
2014024285.tif 000021
【図２０】
2014024285.tif 000022
【図２１】
2014024285.tif 000023
【図２２】
2014024285.tif 000024
【図２３】
2014024285.tif 000025
【図２４】
2014024285.tif 000026